(57)【特許請求の範囲】
【請求項１】
フロアカーペット（１４）が敷設される、車両のフロアパネル（１２）に、前記フロアカーペット（１４）よりも上方に一部が突き出すシートレールブラケット（１７，１８，２１，２２）を固定し、前記シートレールブラケット（１７，１８，２１，２２）に固定したシートレール（２５，２８）にシート（１５Ｌ，１５Ｒ）を前後スライド自在に支持した車両のフロア構造において、
前記フロアカーペット（１４）には、該フロアカーペット（１４）と同材質のカバー部材（３１）が前記シートレールブラケット（１７，１８，２１，２２）の少なくとも一部を跨ぐよう覆う所定位置と、前記シートレールブラケット（１７，１８，２１，２２）を覆わない位置との間で鉛直軸線回りに回転し得るように、該カバー部材（３１）の一端部が連結され、
前記カバー部材（３１）の他端部は、該カバー部材（３１）が前記所定位置にあるときに前記フロアカーペット（１４）の上面に着脱可能に固定されることを特徴とする車両のフロア構造。
【請求項２】
前記カバー部材（３１）は、前記フロアカーペット（１４）を裁断するときの端材（１４ａ′，１４ｂ′）を利用して製造されることを特徴とする、請求項１に記載の車両のフロア構造。
【請求項３】
前記カバー部材（３１）の他端部は、該カバー部材（３１）が前記所定位置にあるときに面ファスナー（３５，３６）によって前記フロアカーペット（１４）の上面に着脱可能に結合されることを特徴とする、請求項１または請求項２に記載の車両のフロア構造。
【発明の詳細な説明】
【技術分野】
【０００１】
本発明は、フロアカーペットが敷設される、車両のフロアパネルに、前記フロアカーペットよりも上方に一部が突き出すシートレールブラケットを固定し、前記シートレールブラケットに固定したシートレールにシートを前後スライド自在に支持した車両のフロア構造に関する。
【背景技術】
【０００２】
自動車のリヤシートのシートバックを折り畳むためのヒンジブラケットがフロアカーペットの端部から上方に目視可能に起立して外観を低下させるのを防止すべく、フロアカーペットの本体部の一部を後方に延長した延長部から立上がり部を上方に立ち上げ、この立上がり部でヒンジブラケットを側方から目視不能に覆い隠すものが、下記特許文献１により公知である。
【先行技術文献】
【特許文献】
【０００３】
【特許文献１】特開２００１−１９１８３３号公報
【発明の概要】
【発明が解決しようとする課題】
【０００４】
ところで上記従来のものは、フロアカーペットの延長部および立上がり部が本体部と一体に形成されているため、ヒンジブラケットの着脱作業を行う場合に前記延長部および立上がり部が作業の邪魔になり、作業性を低下させる問題があった。
【０００５】
本発明は前述の事情に鑑みてなされたもので、車体のシートレールブラケットが目視可能になって外観が低下するのを防止しながら、シートレールブラケットの着脱作業が容易に行えるようにすることを目的とする。
【課題を解決するための手段】
【０００６】
上記目的を達成するために、請求項１に記載された発明によれば、フロアカーペットが敷設される、車両のフロアパネルに、前記フロアカーペットよりも上方に一部が突き出すシートレールブラケットを固定し、前記シートレールブラケットに固定したシートレールにシートを前後スライド自在に支持した車両のフロア構造において、前記フロアカーペットには、該フロアカーペットと同材質のカバー部材が前記シートレールブラケットの少なくとも一部を跨ぐよう覆う所定位置と、前記シートレールブラケットを覆わない位置との間で鉛直軸線回りに回転し得るように、該カバー部材の一端部が連結され、前記カバー部材の他端部は、該カバー部材が前記所定位置にあるときに前記フロアカーペットの上面に着脱可能に固定されることを特徴とする車両のフロア構造が提案される。
【０００７】
また請求項２に記載された発明によれば、請求項１の構成に加えて、前記カバー部材は、前記フロアカーペットを裁断するときの端材を利用して製造されることを特徴とする車両のフロア構造が提案される。
【０００８】
また請求項３に記載された発明によれば、請求項１または請求項２の構成に加えて、前記カバー部材の他端部は、該カバー部材が前記所定位置にあるときに面ファスナーによって前記フロアカーペットの上面に着脱可能に結合されることを特徴とする車両のフロア構造が提案される。
【０００９】
尚、実施の形態の運転席シート１５Ｌおよび助手席シート１５Ｒは本発明のシートに対応し、実施の形態の外側前部シートレールブラケット１７、外側後部シートレールブラケット１８、内側前部シートレールブラケット２１および内側後部シートレールブラケット２２は本発明のシートレールブラケットに対応し、実施の形態の外側シートレール２５および内側シートレール２８は本発明のシートレールに対応する。
【発明の効果】
【００１０】
請求項１の構成によれば、フロアカーペットが敷設される、車両のフロアパネルに、フロアカーペットよりも上方に一部が突き出すシートレールブラケットを固定し、シートレールブラケットに固定したシートレールにシートを前後スライド自在に支持した場合、シートの下に隠れたシートレールブラケットの一部が目視可能になって外観を低下させる場合があるが、シートレールブラケットの目視可能な部分をフロアカーペットと同材質のカバー部材で覆ったことで、シートレールブラケットの全体を目視不能にして外観を向上させることができる。
【００１１】
その上、上記カバー部材がシートレールブラケットの少なくとも一部を跨ぐよう覆う所定位置と、シートレールブラケットを覆わない位置との間で鉛直軸線回りに回転し得るように、該カバー部材の一端部が連結され、カバー部材の他端部は、該カバー部材が所定位置にあるときにフロアカーペットの上面に着脱可能に固定されるので、シートレールブラケットを着脱する際にカバー部材はその一端部を中心にして回転させるだけで邪魔にならなくなり、作業性を高めることができる。しかもカバー部材の一端部がフロアカーペットに連結されているので紛失する虞がない。
【００１２】
また請求項２の構成によれば、フロアカーペットを裁断するときの端材を利用してカバー部材を製造するので、端材を有効利用してコストダウンを図ることができる。
【００１３】
また請求項３の構成によれば、カバー部材の他端部を、該カバー部材が所定位置にあるときに面ファスナーによってフロアカーペットの上面に着脱可能に結合したので、フロアカーペットに対してカバー部材を容易に着脱することができる。
【図面の簡単な説明】
【００１４】
【図１】車両の車室前部の平面図。
【図２】図１においてシートを取り外した状態を示す図。
【図３】図２の３部拡大図。
【図４】図３の４−４線断面図。
【図５】フロアカーペットとカバー部材との関係を説明する図。
【発明を実施するための形態】
【００１５】
以下、図１〜図５に基づいて本発明の実施の形態を説明する。
【００１６】
図１および図２は自動車の車室前部を上方から見た平面図であって、左右のサイドシル１１，１１間を接続するフロアパネル１２が左右のフロアフレーム１３，１３の上面を覆っており、このフロアパネル１２の上面が更にフロアカーペット１４で覆われる。運転席シート１５Ｌおよび助手席シート１５Ｒの間を前後方向に延びるフロアトンネル１６は図示せぬセンターコンソールで覆われるため、その部分のフロアカーペット１４には切り欠き１４ａ，１４ｂ（図５参照）が形成される。
【００１７】
運転席シート１５Ｌをフロアパネル１２に支持すべく、フロアカーペット１４よりも上方に一部が突き出す外側前部シートレールブラケット１７および外側後部シートレールブラケット１８がそれぞれボルト１９，２０でフロアパネル１２に固定されるとともに、内側前部シートレールブラケット２１および内側後部シートレールブラケット２２がそれぞれボルト２３，２４でフロアパネル１２に固定される。外側前部シートレールブラケット１７および外側後部シートレールブラケット１８には、前後方向に延びる外側シートレール２５がボルト２６，２６；２７，２７で固定され、内側前部シートレールブラケット２１および内側後部シートレールブラケット２２には、前後方向に延びる内側シートレール２８がボルト２９，２９；３０，３０で固定される。
【００１８】
尚、外側前部シートレールブラケット１７、外側後部シートレールブラケット１８、内側前部シートレールブラケット２１および内側後部シートレールブラケット２２がフロアパネル１２に固定される部分において、フロアカーペット１４には開口１４ｃ…（図５参照）が形成される。
【００１９】
図１から明らかなように、外側前部シートレールブラケット１７、外側後部シートレールブラケット１８、内側前部シートレールブラケット２１および内側後部シートレールブラケット２２のうち、外側前部シートレールブラケット１７、内側前部シートレールブラケット２１および内側後部シートレールブラケット２２は運転席シート１５Ｌの下に隠れて目視不能であるが、外側後部シートレールブラケット１８の一部だけは運転席シート１５Ｌとサイドシル１１との間に露出して外観を低下させてしまう。
【００２０】
そこで、カバー部材３１で前記外側後部シートレールブラケット１８の目視可能な部分を覆って外観の向上が図られる。
【００２１】
図３および図４から明らかなように、フロアパネル１２が下向きに窪んだ凹部１２ａの下面にスチフナ３２が重ね合わされており、外側後部シートレールブラケット１８、フロアパネル１２およびスチフナ３２を貫通する前記ボルト２０をウエルドナット３３に螺合することで、外側後部シートレールブラケット１８がフロアパネル１２に固定される。
【００２２】
フロアパネル１２の凹部１２ａの後方に上向きに膨らんだ凸部１２ｂが形成されており、フロアカーペット１４、凸部１２ｂおよびスチフナ３２には、リベット３４により、カバー部材３１の一端部が、外側後部シートレールブラケット１８の目視可能な部分を跨ぐよう覆う所定位置と、外側後部シートレールブラケット１８を覆わない位置との間で、水平面内を鉛直軸線回りに回転自在に支持される。カバー部材３１の他端部の下面に面ファスナー３５が縫製されており、この面ファスナー３５が結合可能な面ファスナー３６がフロアカーペット１４の上面に縫製される。
【００２３】
図５に示すように、フロアカーペット１４のセンターコンソールに対応する部分に切り欠き１４ａ，１４ｂを形成したことにより発生する端材１４ａ′，１４ｂ′を利用してカバー部材３１，３１を製造することができる。これにより、材料の無駄をなくしてコストダウンに寄与することができるだけでなく、フロアカーペット１４とカバー部材３１，３１とを完全に同一の材質として外観を高めることができる。
【００２４】
しかして、外側後部シートレールブラケット１８、内側前部シートレールブラケット２１および内側後部シートレールブラケット２２をフロアパネル１２にボルト１９，２０，２３，２４で固定し、その外側前部シートレールブラケット１７、外側後部シートレールブラケット１８、内側前部シートレールブラケット２１および内側後部シートレールブラケット２２に外側シートレール２５および内側シートレール２８をボルト２６，２６，２７，２７；２９，２９，３０，３０で固定し、更にその外側シートレール２５および内側シートレール２８に運転席シート１５Ｌを支持した状態で、外側後部シートレールブラケット１８の一部が運転席シート１５Ｌおよびサイドシル１１の隙間から目視可能になって外観が低下しても、その外側後部シートレールブラケット１８の一部をフロアカーペット１４と同じ材質のカバー部材３１で覆うことで外観を高めることができる。
【００２５】
またカバー部材３１はリベット３４を支点として回転可能なので、シートレールブラケット、シートレールおよびシートの組付時には邪魔にならない位置に回転させておき（図３（Ｂ）参照）、外側後部シートレールブラケット１８を跨ぐよう覆うときに正規の位置に回転させて面ファスナー３５，３６で着脱可能に固定することができる（図３（Ａ）参照）。しかも面ファスナー３５，３６を用いてカバー部材３１をフロアカーペット１４に固定するので、その着脱が容易である。更に、カバー部材３１はリベット３４を介してフロアカーペット１４に連結されているので、カバー部材３１がフロアカーペット１４から分離して紛失するのを防止することができる。
【００２６】
以上、運転席シート１５Ｌの側について説明したが、助手席シート１５Ｒの側の構成および作用効果も同様である。
【００２７】
以上、本発明の実施の形態を説明したが、本発明はその要旨を逸脱しない範囲で種々の設計変更を行うことが可能である。
【００２８】
例えば、実施の形態では外側前部シートレールブラケット１７、外側後部シートレールブラケット１８、内側前部シートレールブラケット２１および内側後部シートレールブラケット２２のうち、外側後部シートレールブラケット１８をカバー部材３１で覆っているが、他の任意のシートレールブラケット１８をカバー部材３１で覆っても良い。
【００２９】
また実施の形態ではカバー部材３１の一端部をリベット３４で枢支して他端部を面ファスナー３５，３６で固定しているが、スナップやクリップ等の他の手段で固定しても良い。
【符号の説明】
【００３０】
１２        フロアパネル
１４        フロアカーペット
１４ａ′    端材
１４ｂ′    端材
１５Ｌ      運転席シート（シート）
１５Ｒ      助手席シート（シート）
１７        外側前部シートレールブラケット（シートレールブラケット）
１８        外側後部シートレールブラケット（シートレールブラケット）
２１        内側前部シートレールブラケット（シートレールブラケット）
２２        内側後部シートレールブラケット（シートレールブラケット）
２５        外側シートレール（シートレール）
２８        内側シートレール（シートレール）
３１        カバー部材
３５        面ファスナー
３６        面ファスナー
【図１】
0005491820.tif 000002
【図２】
0005491820.tif 000003
【図３】
0005491820.tif 000004
【図４】
0005491820.tif 000005
【図５】
0005491820.tif 000006